(57)【要約】【課題】ピニオンおよびラックを使用することにより芯をロックするレーザーレベルを提供する。【解決手段】本考案のレーザーレベルは、電源に基づき少なくとも１つのレーザービームを発生する芯を台座上に設置し、台座上は更に、ピニオン、操作レバーおよびラックを設置しロック構造を構成する。ユーザーは操作レバーを動かす時、操作レバーがピニオンの回転を連動し、ラックを連動し往復運動を実行させ、芯のロックおよび電源のオンおよびオフを制御する目的を達成する。また、レーザーレベルは固定部材を使用し、ラックの往復運動の操作を固定し、芯のロックをより安定させる。【選択図】図１
0003126622.tif 000002
【実用新案登録請求の範囲】
【請求項１】
台座と；
前記台座上に設置する電源スイッチと；
前記台座上にピン接合し、前記台座に対応した揺動運動を実行し、前記電源スイッチのオ
ンおよびオフに基づいて、少なくとも１つのレーザービームを発生する芯と；
前記台座上にピン接合するピニオンと；
前記ピニオンに連接し、前記ピニオンの回転を連動する操作レバーと；
前記ピニオンと噛合い、前記操作レバーを操作する時、前記ピニオンの回転に基づき往復
運動を実行し、前記芯のロックおよび前記電源スイッチの通電を制御するラックと
を含むレーザーレベル。
【請求項２】
前記ラックは第１支持面および第２支持面を有し、前記操作レバーはオンの位置とオフの
位置とを切り換え、前記操作レバーが前記オフの位置に操作される時、前記第１支持面は
、前記芯を支持しロックし、前記第２支持面は、前記電源スイッチを支持し切断し、前記
動作レバーが前記オンの位置に操作される時、前記ラックは前記芯のロックを解除し、前
記電源スイッチを通電させることを特徴とする請求項１記載のレーザーレベル。
【請求項３】
前記第１支持面上には、更に弾性部材を貼合することを特徴とする請求項２記載のレーザ
ーレベル。
【請求項４】
前記弾性部材はプラスチックまたはスポンジであることを特徴とする請求項３記載のレー
ザーレベル。
【請求項５】
更に、第１ショルダーボルトおよび第２ショルダーボルトを含み、前記ラックは、第１ス
ライド溝および第２スライド溝を有し、前記第１ショルダーボルトおよび第２ショルダー
ボルトを、それぞれ、前記第１スライド溝および前記第２スライド溝内に挿入し、前記ラ
ックの往復運動の方向を制御することを特徴とする請求項１記載のレーザーレベル。
【請求項６】
前記ラックは、更に、第３スライド溝および第４スライド溝を有し、前記台座上に第３ス
ライド溝および第４スライド溝に対応する突起物を設置し、前記ラックの報復運動の方向
の制御を補助することを特徴とする請求項５記載のレーザーレベル。
【請求項７】
更に、固定弾性部材を含み、前記台座上に固定し、前記ラックが固定体を有し、前記ラッ
クが往復運動を実行する時に用い、前記固定弾性部材と合わせて前記ラックを固定するこ
とを特徴とする請求項１記載のレーザーレベル。
【請求項８】
前記電源スイッチがリミットスイッチであることを特徴とする請求項１記載のレーザーレ
ベル。
【考案の詳細な説明】
【技術分野】
【０００１】
本考案は、レーザーレベルに関し、特に、ピニオンおよびラックのロック構造により芯
を安定固定したレーザーレベルに関する。
【背景技術】
【０００２】
土木建築および改装等の工程中、基準線の計測決定作業は施工精密度に影響を及ぼす大
きな要因である。近頃は、科学技術の進歩により、レーザー鉛垂線または水平線を発生可
能なレーザーレベルが人気となり、レーザー線の精密度およびユーザーの操作性を改善す
るため、自動水平調整のレーザーレベルが誕生したのである。
【０００３】
自動水平調整のレーザーレベルにより、通常は芯をベアリング等のピン接合構造を利用
し台座上にピン接合し、芯が重力の影響に基づき、台座に対応した揺動運動を実行させる
ことができる。芯が揺動を停止し安定状態に達する時、芯により投射されたレーザービー
ムは、水平面と垂直または水平の関係を成すことができ、施工の垂直または水平の基準線
となることができる。
【０００４】
明らかに、このピン接合による自由に揺動できる構造は、レーザーレベルの運送に不利
である。従って、中華民国公告第396094号特許は芯を固定可能な“チョークライン”は、
レーザーレベルを使用しない時、電源をオフとするのと同時に芯をロックし、レーザーレ
ベルが運送の為に揺動し破損することを防止する。但し、このロック方式はねじりバネの
弾性力を利用し、ストッパーを連動し芯の支持を達成し、ねじりバネがストッパーの回転
の軸心に位置し、ストッパーが芯を支持する位置がストッパーの末端であり、てこの構造
を形成し、芯の揺動がバネの弾性力を超過し易く、芯のロックが不安定である。
【特許文献１】中華民国公告第396094号
【考案の開示】
【考案が解決しようとする課題】
【０００５】
本考案は、ピニオンおよびラックを使用することにより芯をロックし、レーザーレベル
の芯のロックを更に安定させ信頼性のあるものにすることを目的とする。
【課題を解決するための手段】
【０００６】
上述およびその他の目的を達成する為、本考案はレーザーレベルを提供し、このレーザ
ーレベルは：台座、芯、電源スイッチ、ピニオン、操作レバーおよびラックを含むもので
ある。そのうち、電源スイッチは台座上に設置し、芯は台座上にピン接合し、台座に対応
して揺動運動を実行し、電源スイッチのオンおよびオフにより、少なくとも１つのレーザ
ービームを発生する。ピニオンは台座上にピン接合し、操作レバーはピニオンに連接し、
ピニオンの回転を連動することに用いてなる。ラックおよびピニオンは相互に噛合い、操
作レバーを動かす時、ピニオンの回転に基づき往復運動を実行し、芯のロックおよび電源
スイッチのオンオフを制御する。
【考案の効果】
【０００７】
本考案のレーザーレベルは、電源に基づき少なくとも１つのレーザービームを発生する
芯を台座上に設置し、台座上は更に、ピニオン、操作レバーおよびラックを設置しロック
構造を構成する。ユーザーは操作レバーを動かす時、操作レバーがピニオンの回転を連動
し、ラックを連動し往復運動を実行させ、芯のロックおよび電源のオンおよびオフを制御
する目的を達成する。また、レーザーレベルは固定部材を使用し、ラックの往復運動の操
作を固定し、芯のロックをより安定させる。
【考案を実施するための最良の形態】
【０００８】
図１〜図５は、本考案の好適な実施例に基づくレーザーレベル１０を示すものであり、
レーザーレベル１０は、台座１１、芯１２および例えばリミットスイッチである電源スイ
ッチ１３以外に、更に、ピニオン１４、操作レバー１５、ラック１６、ショルダーボルト
１７、１８および弾性部材１９を含むロック構造である。
【０００９】
図中、台座１１は上に向かって延伸する支持柱１１１、１１２および１１３を有し、支
持柱１１１、１１２および１１３上に芯１２とピン接合するピン接合構造１１４を設けて
なり、芯１２は、重力の影響に基づき、台座１１に対応した揺動運動を実行することがで
きる。芯１２上に複数のレーザーモジュール１２１、１２２、１２３、１２４および１２
５を設けてなり、電源スイッチ１３が制御する電源の供給に基づいて複数のレーザービー
ムを発生する。本実施例における芯１２は５つのレーザーモジュール１２１、１２２、１
２３、１２４および１２５を設けてなり、4つの垂直なレーザービームおよび1つの水平な
レーザービームで扇形のレーザービームを発生するが、当該技術を熟知する者であれば、
レーザーモジュールの数量は実際の要求に基づき変更することが可能である。
【００１０】
芯１２は重力の影響に基づいて、台座１１に対応し自由に揺動する。従って、ロック構
造を提供する必要があり、レーザーレベル１０を使用しない時、電源をオフとすると同時
に芯１２をロックし、レーザーレベル１０が運送により揺動し損壊することを防止する。
ロック構造の操作方式は図１〜図５により詳細に説明する。
【００１１】
図３中、ピニオン１４は、長い円柱状であり、台座１１上に設置される円孔１１５に挿
入し、台座１１上にピン接合することができる。ピニオン１４の上端は、外部に延伸し下
方に湾曲する２つの歯１４１を有し、底端付近には円孔１４３を設け、操作レバー１５の
一端を挿入させ、ピニオン１４と相互に連結させる。
【００１２】
ラック１６上は、ピニオン１４の２つの歯１４１に対応する歯溝１６１を有する以外に
、更に、ラック１６の往復運動方向を制御する複数のスライド溝１６２、１６３、１６４
および１６５、芯１２を支えロックする支持面１６６、電源スイッチ１３を上部に押さえ
る弾性部材１３１、および、電源スイッチをオンまたはオフする接点の支持面１６７を有
する。
【００１３】
ラック１６の往復運動の方向の制御は、ショルダーボルト１７および１８がそれぞれラ
ック１６のスライド溝１６２および１６３を貫通し、台座１１上の螺子孔１１７および１
１６に螺合することにより完成する。好適には、台座１１上にそれぞれスライド溝１６４
および１６５に対応する突出物１１８および１１９を設置し、ラック１６の往復運動の方
向の制御を補助させる。また、ラック１６上に１６８を設けて、ラック１６が往復運動を
実行する時、台座１１上に固定する固定弾性部材１９に合わせて、ラック１６の往復運動
の操作位置を固定する。図中、固定弾性部材１９は螺子１９１により台座１１上に固定さ
れる。
【００１４】
図４、図５を参照すると、操作レバー１５が図４のようにオンの位置に操作される時、
ショルダーボルト１７および１８はそれぞれラック１６のスライド溝１６２および１６３
の右側に位置する。この時、台座１１上にロックされた固定弾性部材１９は、ラック１６
上に設置された固定体１６８の右側に寄せられ、ラック１６を往復運動の左側に固定する
。従って、支持面１６６は、図に示すように芯１２を押さえず、即ち、芯１２は重力に基
づいて自由に揺動できる状態である。また、支持面１６７は電源スイッチ１３の弾性部材
１３１に寄らないので、電源スイッチ１３の接点がオン状態であり、電源スイッチに連接
する電源が芯１２に設置されるレーザーモジュール１２１、１２２、１２３、１２３４お
よび１２５に導入がされ、レーザーモジュール１２１、１２２、１２３、１２４および１
２５に必要とする基準レーザービームを発生させる。この時、レーザーレベル１０は正常
使用の状態である。
【００１５】
また、ユーザーが使用を終了しレーザーレベル１０をオフとする時、操作レバー１５を
図５のように右のオフの位置に動かすことができる。この時、ピニオン１４は操作レバー
１５の移動に基づいて反時計回りに回転し、ピニオン１４上に設置された２つの歯１４１
により噛合う歯溝１６１を連動し、ラック１６を弾性部材１９の弾力を超えて右に移動さ
せ、ラック１６上の固定体１６８が固定弾性部材１９の右側に達し、固定弾性１９を固定
体１６８の左に寄せ、即ち、ラック１６が往復運動の右側に達した位置で停止する。こう
して、支持面１６６が芯１２を支えロックし、芯１２をロックし自由に揺動できない状態
にする。同時に、支持面１６７が電源スイッチ１３の弾性部材１３１に寄せられ、電源ス
イッチ１３の接点を切断し、芯１２に導入する電源をオフとする目的を達成する。
【００１６】
ラック１６の支持面１６６が芯１２を安定した支持およびロックできるようにするため
、図３中、ラック１６の支持面１６６上は、好適には、例えばプラスチックまたはスポン
ジである弾性部材１６９’を貼り、ラック１６と芯１２との間の寄りかかりを更に緊密に
し、良好なロック効果を達成させることができる。
【００１７】
なお、本考案では好ましい実施例を前述の通り開示したが、これらは決して本考案に限
定するものではなく、当該技術を熟知する者なら誰でも、本考案の精神と領域を脱しない
均等の範囲内で各種の変動や潤色を加えることができることは勿論である。
【図面の簡単な説明】
【００１８】
【図１】本考案の実施例に基づくレーザーレベルを示す立体図である。
【図２】図１の1部分を示す立体図である。
【図３】図２の1部分を示す立体図である。
【図４】図１のレーザーレベルの操作レバーがオンの位置にある操作を示す図である。
【図５】図１のレーザーレベルの操作レバーがオフの位置にある操作を示す図である。
【符号の説明】
【００１９】
１０ レーザーレベル
１１ 台座
１１１，１１２，１１３  支持柱
１１４ ピン接合構造
１１５，１４３ 円孔
１１６，１１７ 螺子孔
１１８，１１９ 突出物
１２ 芯
１２１，１２２，１２３，１２４，１２５ レーザーモジュール
１３ 電源スイッチ
１３１ 弾性部材
１４ ピニオン
１４１ 歯
１５ 操作レバー
１６ ラック
１６１ 歯溝
１６２，１６３，１６４，１６５ スライド溝
１６６，１６７ 支持面
１６８ 固定体
１７，１８ ショルダーボルト
１９ 固定弾性部材
１９１ 螺子
【図１】
0003126622.tif 000003
【図２】
0003126622.tif 000004
【図３】
0003126622.tif 000005
【図４】
0003126622.tif 000006
【図５】
0003126622.tif 000007